(57)【特許請求の範囲】
【請求項１】
一体成形または連結して断面Ｕ形とされたコンクリートブロック本体の底面に内腔ブロックを設け、前記コンクリートブロック本体の底面に上記内腔ブロックに連通した開口部を形成し、しかも該コンクリートブロック本体における断面Ｕ形部が内腔ブロックにおける内腔より大きい断面積とした水路用コンクリートブロック間に内腔ブロックを設けてない断面Ｕ形コンクリートを組込んで設定し、しかも前記水路用コンクリートブロックに設けられた内腔ブロック間を連結ダクトにより連結したことを特徴とするコンクリートブロックによる水路。
【請求項２】
断面Ｕ形とされたコンクリートブロック本体と内腔ブロックとが各別に成形され、前記コンクリートブロック本体の底部に形成された開口部に対し上記内腔ブロックの開口部を取付けたことを特徴とする請求項１に記載のコンクリートブロックによる水路。
【請求項３】
連結された複数のコンクリートブロック本体底部に股がって開口部を形成し、該開口部に対し内腔ブロックの開口部を接合させて取付けるようにされたことを特徴とする請求項２に記載のコンクリートブロックによる水路。
【請求項４】
内腔ブロックに連結ダクトを取付けるための接続口を設けたことを特徴とする請求項１〜３の何れかに記載のコンクリートブロックによる水路。
【発明の詳細な説明】
【０００１】
【発明の属する技術分野】
本発明は水路用コンクリートブロックおよびコンクリートブロックによる水路に係り、工場生産されたプレキャストコンクリートブロックによって構成される水路において魚類その他の水中生物の好ましい棲息ないし避難場所を提供し、特に渇水条件などにおいてもそれら水中生物の適切な生存条件を維持することのできる水路を形成することのできる水路用コンクリートブロックないしその水路を提供しようとするものである。
【０００２】
【従来の技術】
一般的な河川などの水路は雑草などが繁殖し、これを除草、清掃する管理に著しい労力を必要とすることから近時においては斯様な河川を工場生産されたプレキャストコンクリートによって形成することが広く行われつつある。即ち上記のような水路をコンクリートブロック製とすることにより春季ないし夏季のような草類などの旺盛な繁殖期においても水路における叢生を的確に防止し水路の管理に必要とされる労力を殆んど零状態となし得ることから各方面において広く採用されつつある。
【０００３】
【発明が解決しようとする課題】
近時における前記したようなコンクリートブロック水路は量産的に工場生産されたコンクリートブロックで比較的低コストに雑草などの生育しない水辺を形成し得るメリットがあるが、形成された水路は一定の形態を採って量産されたものであることから水流域は確保し得るとしても、この水流域以外は全くゆとりのないこととなり、即ち魚類などの水中生物が生息しようとしても全断面において一定の流速条件しか得られないものであって、また常に全面が開放された条件下で移動することとなるから水中生物などの休息や避難が得られない。
【０００４】
この故に上記のようなコンクリートブロック水路が採用された水田領域などにおいては該水路系における魚類その他の水中生物に関する分布ないし生殖状態が著しく異ったものとなり、魚類その他の水中生物はコンクリートブロック水路系において殆んど求められないようなこととなっていることは各方面において報告されている通りである。
【０００５】
【発明が解決しようとする課題】
本発明は上記したような従来技術における課題を解決することについて検討を重ねて創案されたものであって、プレキャストコンクリートブロックによって形成された水路において、好ましい渕所を形成せしめ、魚類その他の水中生物の好ましい生息ないし避難場所を適切に形成し、プレキャストコンクリートブロックによる水路管理上の有利性を確保しながら魚類などの水中生物に関する棲息条件を従前からの自然的河川におけると同等ないしそれ以上に確保することに成功したものであって以下の如くである。
【０００６】
（１）  一体成形または連結して断面Ｕ形とされたコンクリートブロック本体の底面に内腔ブロックを設け、前記コンクリートブロック本体の底面に上記内腔ブロックに連通した開口部を形成し、しかも該コンクリートブロック本体における断面Ｕ形部が内腔ブロックにおける内腔より大きい断面積とされたことを特徴とする水路用コンクリートブロック。
【０００７】
（２）  断面Ｕ形とされたコンクリートブロック本体と内腔ブロックとが各別に成形され、前記コンクリートブロック本体の底部に形成された開口部に対し上記内腔ブロックの開口部を取付けたことを特徴とする前記（１）項に記載の水路用コンクリートブロック。
【０００８】
（３）  連結された複数のコンクリートブロック本体底部に股がって開口部を形成し、該開口部に対し内腔ブロックの開口部を接合させて取付けるようにされたことを特徴とする前記（２）項に記載の水路用コンクリートブロック。
【０００９】
（４）  内腔ブロックに連結ダクトを取付けるための接続口を設けたことを特徴とする前記（１）〜（３）項の何れか１つに記載の水路用コンクリートブロック。
【００１０】
（５）  前記（１）〜（４）項の何れか１つに記載の水路用コンクリートブロックを内腔ブロックを設けてない断面Ｕ形コンクリートブロックの間に組込んで設定したことを特徴とするコンクリートブロックによる水路。
【００１１】
（６）  前記（１）〜（４）項の何れか１つに記載の内腔ブロックを設けた水路用コンクリートブロック間に内腔ブロックを設けてない断面Ｕ形コンクリートを組込んで設定し、しかも前記水路用コンクリートブロックに設けられた内腔ブロック間を連結ダクトにより連結したことを特徴とするコンクリートブロックによる水路。
【００１２】
【発明の実施の形態】
上記したような本発明によるものの具体的な実施態様を添附図面に示すものについて説明すると、本発明においては図１および図２に示すように断面Ｕ形とされたコンクリートブロック本体１の底面に内腔ブロック２または３を設け、前記コンクリートブロック本体１の底面に上記内腔ブロック２に連通した開口部１１を形成したもので、図示のものでは内腔ブロック２は角筒ブロック、内腔ブロック３は円筒ブロックであるが、内腔ブロックとしてはその他の任意の形態のものを採用することができる。
【００１３】
上記した図１、２のものの施工状態は図３と図４に示す如くで、角形内腔ブロック２は底部１２を有し、円筒内腔ブロック３は底部を開口部１３とし、その底面開口部１３の下部ないし内部に天然石材などによる敷設物４やヤシなどの天然繊維による植生ロールや植生袋などの充填物５を施すが、何れにしても一般的な通水液面はブロック本体１の域内に形成され、該ブロック本体１部分が通水域となり、内腔ブロック２または３内は水が停滞状態をなし、渕を形成する。なお一般的には図３のように底部１２を有するものは田畑などに対する用水路系に使用することにより洩水を防止して給水量を確保できる。また図４のように底部のないものは田畑などからの排水路系の如きに採用される。
【００１４】
図５と図６には本発明による更に別のブロックが示されている。即ちブロック本体１の構成については前記図１〜４のものと同様であるが、内腔ブロック２として図５のものは少くとも外形においてブロック本体１と同じ寸法を有するもので、また図６のものは内腔ブロック２をブロック本体１の端部に形成し、即ち連設された２つのコンクリートブロックに股がって内腔ブロック２を形成するようにされたものである。
【００１５】
図７と図８には本発明による更に別のコンクリートブロックとして前記したような内腔ブロック２の側面に連結口６を形成したものが示され、図７のものはブロック本体１における通水方向（側壁の面方向）の側方に開口し、図８のものはブロック本体１の通水方向に沿った方向に開口されている。
【００１６】
即ち、このような連結口６を設けたものの施工状態は別に図９と図１０に示す如くであり、図７のものはブロック本体１で連結される水路方向の側方に端部を閉塞材１５で充填したダクト７が設けられて、内腔ブロック２または３から更に側方へ突出した退避部を形成し、魚類などの休息あるいは渇水期における貯水部として作用する。図８のように通水方向にそった連結口６のものは図１０のように通水方向にそって内腔ブロック２を有する本発明のブロック本体１と内腔ブロックを有しない一般的通水ブロック８の複数個を連設した水路において複数個のブロック本体１および一般的通水ブロック８に股がって長いダクト１７が取付けられ、多数個のブロック１および８に亘って連結水路をブロック列の底部に形成して水中生物の安全な領域を構成すると共に渇水時において水路底部に一種の池のように安定した水中生物用の生息域を形成する。
【００１７】
上記した図１〜図１０に示したものはブロック本体１と内腔ブロック２または３が一体成形されたものであるが、図１１〜図１３および図１４〜図１７にはブロック本体１と内腔ブロック２とが別体成形された場合の本発明の構成を示してある。即ち図１１のものはブロック本体１の底面に角形開口部１１が形成されたもので別に図１４および図１６として示したような桝状の内腔ブロック１８を取付けることにより図１または図３に示したものと同様な本発明の内腔ブロックつきブロック本体を形成できる。同様に図１２のものはブロック本体１の底面に円形開口部１０が形成されたもので、このものに図１５および図１７として示したような円筒状内腔ブロック１９を取付けることにより、前記した図２および図４に示したものと同様な本発明の内腔ブロックつきブロック本体を図１８は角形開口部１１より大きく広げた内腔ブロック１８を用い、また図１９に示すように円形開口部１０に合わせて内腔ブロック１９を取付けて形成することができる。
【００１８】
図１３のものはブロック本体１の底面における端部に部分開口部１４を形成したもので、このような部分開口部１４を前記した図１０の右側に示すように連結されたブロック本体１、１に股がって位置せしめ、一体化した大きな開口部に対し大型内腔ブロック２０を取付けることによって大型滞水部をブロック本体１または８群の底面に形成し得る。
【００１９】
図２０および図２１には前記したように別体成形されたブロック本体１と内腔ブロック１８または１９を取付けるための代表的な部材が示されている。即ち図２０のものは連結片９とモルタルのような凝結材１０を用いる場合、図２１のものは連結ボルト１６を係合用のインサート金具２６にねじ込んで係止させるようにしたもので、何れにしても施工現場において平易に連結することができるし、場合によっては単に内腔ブロック上にブロック本体を載置させるだけでも充分目的を果たすことができる。
【００２０】
図２２と図２３には上記のようにして連結された内腔ブロック１８、１９に対するダクト７または１７の連結構造が示されており、即ち内腔ブロック１８、１９には連結孔６が配設されていてダクト７または１７を適宜に連結し待避所または連結水路を形成し得ることは図９または図１０に示したところと同様である。
【００２１】
図２４〜図２６には本発明による比較的大型水路に適した組立連結式水路単位体の１例が示されている。即ち図２４に示したようなＬ形部体２１を図２５のように対向させて、連結部２２間に図２５、図２６に示すように連結コンクリート２３を打設し、その中央開口部２４部分の底面に内腔ブロック２を取付けたもので、図２３までに示し前述したものと同様の構成関係が形成されることは明らかである。
【００２２】
図２７には組立連結式水路単位体を採用すること自体は前記した図２４〜図２６のものと同様であるが、側壁部分が拡開状に傾斜された場合が示され、連結部２５は比較的小型で両部体間において部分的に形成されたものである。なおＬ形部体２１の側壁部２８は上部を外側に傾斜させたもので、その内面には擬岩模様２７が形成してある。
【００２３】
図２８と図２９には用水路系と排水路系とを一体化したような中間に仕切壁３１を形成した比較的大型のコンクリートブロック３０に関して本発明を採用した場合が示されている。即ち、仕切壁３１は図２８のように一体成形したもの、あるいは図２９のように別体成形されたものの何れでもよいが、内腔ブロック２は仕切壁３１で区分された何れか一方または双方の水路において採用することができる。
【００２４】
図３０と図３１は本発明における断面Ｕ形コンクリートブロック本体１に関して天然木材模様３２またはタイル模様３３を採用した場合が示されている。即ち図３０のものはブロック本体の頂縁部にのみ前記模様３２を用いたものであり、図３１のものはブロック本体の頂面と内面にタイル模様３３を施したもので、部分的な模様３２または３３によってコンクリート製品としての感覚を大幅に改善した水路を形成することができる。前記模様３２、３３は適宜にその他のものを採用することも可能である。
【００２５】
上記したような本発明によるものは一体成形または連結して断面Ｕ形とされたコンクリートブロック本体の底面に内腔ブロックを設け、前記コンクリートブロック本体の底面に上記内腔ブロックに連通した開口部を形成したことによってブロック本体により一般的水路におけると全く同様に通水を図り、しかも内腔ブロックによって該ブロック本体の底部に静水状態の待避域を形成し、確保することができて魚類その他の水中生物の棲息に適した環境を形成し、特に渇水時などにおいても有効に保水し、特に降雨などの水を優先的に集水し、更には源流から適宜に若干の水を水路に流すことにより内腔ブロック内に対し同じく優先的且つ的確に貯水せしめることができるので、蛙のような両棲類は勿論、鮒や泥鰌などの魚類や水生昆虫類などの多種の水中生物が越年するようなことを充分に可能とし、従来のコンクリートブロック水路において求めることのできない適切な自然的水辺環境を形成、保持せしめる。
【００２６】
コンクリートブロック本体と内腔ブロックとが一体成形され、コンクリートブロック本体における断面Ｕ形部が内腔ブロックにおける内腔より大きい断面積とされたことにより内腔ブロックを有するコンクリートブロック本体が量産的な成型工程により簡易且つ適切に製造され、本発明の有利性を経済的に得しめる。
【００２７】
断面Ｕ形とされたコンクリートブロック本体と内腔ブロックとが各別に成形され、前記コンクリートブロック本体の底部に形成された開口部に対し上記内腔ブロックの開口部を接合して取付けたことによってそれなりの複雑な構成を有する部体であっても的確に成形製作せしめ、特にコンクリートブロック本体底部の開口部の狭小とされたものであっても有効に形成し、魚類などの水中生物の保護に適した水路を形成する。
【００２８】
連結された複数のコンクリートブロック本体底部に股がって開口部を形成し、該開口部に対し内腔ブロックの開口部を接合させて取付けるようにされたことによって大型の内腔部をブロック本体の底面に形成し、上述したような降雨時などの集水を充分に図って魚類その他の水中生物の生育に適した条件を形成維持せしめる。
【００２９】
内腔ブロックに連結ダクトを取付けるための接続口を設けたことにより連設された水路構成のためのブロック列において多数個のブロック域に股がる長く且つ大型な水中生物の生育域を形成させ、前述したような降雨時などにおける集水量を大となして好ましい生育条件を形成する。
【００３０】
前記したように本発明による内腔ブロックを設けた水路用コンクリートブロックを内腔ブロックを設けてない断面Ｕ形コンクリートブロックの間に組込んで設定したことにより適当な間隔を採って内腔ブロックを有する水路が形成され、それぞれの施工域における水中生物の生育条件に即応した好ましい水路を形成せしめる。
【００３１】
上記したような本発明による内腔ブロックつき水路用コンクリートブロック間に内腔ブロックを設けてない断面Ｕ形コンクリートを組込んで設定し、しかも前記水路用コンクリートブロックに設けられた内腔ブロック間を連結ダクトにより連結したことにより経済的に大型な構成を有しそれぞれの地域における水中生物生育に好適した水路を得しめる。
【００３２】
【発明の効果】
以上説明したような本発明によるときはプレキャストコンクリート製品による水路を経済的且つ短期間内に形成せしめ、該コンクリート水路における雑草類などの着生、成長を的確に防止し、その管理を容易となし、しかも魚類その他の水中生物に対する好ましい棲息環境を形成し渇水期などにおいても適切な生育条件を形成保持せしめて従来のコンクリート水路において求めることのできない自然環境を有効且つ適切に形成し得るものであるから工業的にその効果の大きい発明である。
【図面の簡単な説明】
【図１】本発明によるコンクリートブロックの１例を示した斜面図である。
【図２】本発明によるコンクリートブロックの別の１例を示した斜面図である。
【図３】底部を有する内腔ブロックを採用した本発明によるコンクリートブロックの施工状態を示した断面図である。
【図４】底部を開放した内腔ブロックを採用した本発明によるコンクリートブロックの施工状態を示した断面図である。
【図５】ブロック本体と同じ外形寸法の内腔ブロックを採用した本発明によるコンクリートブロックの構成を示した斜面図である。
【図６】ブロック本体の端部に内腔ブロックを採用した本発明によるコンクリートブロックの構成を示した斜面図である。
【図７】内腔ブロックの側面に連結口を設けた本発明によるコンクリートブロックの構成を示した斜面図である。
【図８】図７とは別の箇所に連結口を設けた本発明によるコンクリートブロックの構成を示した斜面図である。
【図９】図７に示したコンクリートブロックの施工状態を示した断面図である。
【図１０】図８に示したコンクリートブロックによる施工状態を示した断面図である。
【図１１】ブロック本体の底面に角形開口部を設けた本発明によるコンクリートブロックの更に別の構成を示した斜面図である。
【図１２】ブロック本体の底面に円形開口部を設けた本発明によるコンクリートブロックの更に別の構成を示した斜面図である。
【図１３】ブロック本体の底面端部に部分開口部を設けた本発明によるコンクリートブロックの更に別の構成を示した斜面図である。
【図１４】前記図１１、図１３に示したコンクリートブロックに併用される添設部体の各斜面図である。
【図１５】前記図１２に示したコンクリートブロックに併用される添設部体の各斜面図である。
【図１６】前記図１４に示したものの断面図である。
【図１７】前記図１５に示したものの断面図である。
【図１８】上記した図１２のものに図１４に示した添設部体を取付けた状態の断面図である。
【図１９】上記した図１２のものに図１５に示した添設部体を取付けた状態の断面図である。
【図２０】図１８、１９のような取付構造部分の仔細を示した断面図である。
【図２１】図１８、１９のような取付構造部分の別の仔細を示した断面図である。
【図２２】図１９のように取付けられたものの斜面図である。
【図２３】図２２に示したものの断面図である。
【図２４】本発明で採用し得るＬ形部材の斜面図である。
【図２５】Ｌ形部材を水路の中間部で連結し構成するようにした本発明の連結構成したものの断面図である。
【図２６】Ｌ形部材の連結により構成された本発明による水路単位体の斜面図である。
【図２７】水路中間部で連結構成するようにした、側壁内面に割石模様を施した本発明水路用コンクリートブロックの斜面図である。
【図２８】水路中間部に仕切壁を形成した本発明水路用ブロックの斜面図である。
【図２９】水路中間部に仕切壁を設けるようにした別の本発明水路用ブロックについての施工状態を示した断面図である。
【図３０】  ブロック本体の頂縁部に天然木材模様を施した本発明による水路用コンクリートブロックの更に別の構成を示す斜面図である。
【図３１】ブロック本体の頂面と内面にタイル模様を施した本発明による水路用コンクリートブロックの更に別の構成を示す斜面図である。
【符号の説明】
１  断面Ｕ型のコンクリートブロック本体
２  内腔ブロック（角形）
３  内腔ブロック（円筒）
４  天然石材などの敷設物
５  ヤシ等による天然繊維を用いた植生ロールまたは植生袋などの充填物
６  連結孔
７  ダクト
８  一般的通水ブロック
９  連結片
１０  凝結材
１１  開口部
１２  底部
１３  底面開口部
１４  部分開口部
１５  閉塞材
１６  連結材
１７  長ダクト
１８  桝状内腔ブロック
１９  円筒状内腔ブロック
２０  大型内腔ブロック
２１  Ｌ形部体
２２  連結部
２３  連結コンクリート
２４  中央開口部
２５  連結部
２６  係合用のインサート金具
２７  擬岩模様
２８  側壁部
３０  大型コンクリートブロック
３１  仕切壁
【図１】
0003903223.tif 000002
【図２】
0003903223.tif 000003
【図３】
0003903223.tif 000004
【図４】
0003903223.tif 000005
【図５】
0003903223.tif 000006
【図６】
0003903223.tif 000007
【図７】
0003903223.tif 000008
【図８】
0003903223.tif 000009
【図９】
0003903223.tif 000010
【図１０】
0003903223.tif 000011
【図１１】
0003903223.tif 000012
【図１２】
0003903223.tif 000013
【図１３】
0003903223.tif 000014
【図１４】
0003903223.tif 000015
【図１５】
0003903223.tif 000016
【図１６】
0003903223.tif 000017
【図１７】
0003903223.tif 000018
【図１８】
0003903223.tif 000019
【図１９】
0003903223.tif 000020
【図２０】
0003903223.tif 000021
【図２１】
0003903223.tif 000022
【図２２】
0003903223.tif 000023
【図２３】
0003903223.tif 000024
【図２４】
0003903223.tif 000025
【図２５】
0003903223.tif 000026
【図２６】
0003903223.tif 000027
【図２７】
0003903223.tif 000028
【図２８】
0003903223.tif 000029
【図２９】
0003903223.tif 000030
【図３０】
0003903223.tif 000031
【図３１】
0003903223.tif 000032